(57)【要約】【課題】映像入力ＩＦを切り替えた際や映像送信機側でフォーマットを切り替えた際の画出し時間の短縮する要求も増えてきている。【解決手段】複数の映像入力手段と、該複数の映像入力手段を選択する第一の映像入力選択手段と、該第一の映像入力選択手段で選択された映像信号を測定する信号測定手段と、該複数の映像入力手段を選択する第二の映像入力選択手段と、該第二の映像入力選択手段で選択された映像信号を画像処理する画像処理手段と、該画像処理手段の映像を表示する表示手段と、該画像処理手段の処理内容を変更する動作モード変更手段と、該動作モードを選択する動作モード選択手段とを備える映像表示装置において、該動作モード選択手段により選択された動作モードに応じて、前記第一の映像入力選択手段の選択方法を変更することを特徴とする。【選択図】  図１
2019012927.tif 000002
【特許請求の範囲】
【請求項１】
複数の映像入力手段と、
該複数の映像入力手段を選択する第一の映像入力選択手段と、
該第一の映像入力選択手段で選択された映像信号を測定する信号測定手段と、
該複数の映像入力手段を選択する第二の映像入力選択手段と、
該第二の映像入力選択手段で選択された映像信号を画像処理する画像処理手段と、
該画像処理手段の映像を表示する表示手段と、
該画像処理手段の処理内容を変更する動作モード変更手段と、
該動作モードを選択する動作モード選択手段と、
を備える映像表示装置において、
該動作モード選択手段により選択された動作モードに応じて、前記第一の映像入力選択手段の選択方法を変更することを特徴とする映像表示装置。
【請求項２】
請求項１に記載の映像表示装置において、
前記動作モード選択手段により選択された動作モードに応じて、前記第一の映像入力選択手段による選択方法を変更する
ことを特徴とする投影装置。
【請求項３】
請求項１に記載の映像表示装置において、
前記複数の映像入力手段を示すＯＳＤを表示する映像入力ＯＳＤ表示手段と、
を備え、
該映像入力ＯＳＤ表示手段が表示する映像入力手段の並び順番に前記第一の映像入力選択手段を選択する
ことを特徴とする投影装置。
【発明の詳細な説明】
【技術分野】
【０００１】
本発明は、映像表示装置に関し、特に複数の映像受信手段を備える映像表示装置に関するものである。
【背景技術】
【０００２】
映像信号を表示するＬＣＤディスプレイや液晶プロジェクタなどの映像表示では複数の映像受信ＩＦを備えているものが多い。映像受信ＩＦとは、ＶＧＡ、コンポーネント、コンポジット、ＤＶＩ、最近ではＨＤＭＩ（登録商標）、ＤｉｓｐｌａｙＰｏｒｔ（以下ＤＰ）、ＳＤＩなどである。映像表示装置は複数の映像受信ＩＦを搭載することにより複数台の映像送信機と接続することができる。この場合、映像表示装置の利用者は、ケーブルの挿抜を行わずに映像表示装置側のリモコンを操作するなどして、複数台の映像送信機からの映像信号を切り替えて映像表示装置に表示させることができ利便性が高い。
【０００３】
映像送信機から伝送された映像信号は、その信号プロトコルに対応する各種映像信号受信回路表示装置内）によって受信処理がされる。例えばＨＤＭＩの場合、図５で示すように映像送信機と映像表示装置間はＨＤＭＩ専用のプロトコル（ＴＭＤＳ信号）で伝送され、映像信号受信回路でデジタル映像信号へ変換され画像処理エンジンへ伝送される。
【０００４】
映像信号受信回路は内部で変換した映像信号を測定する回路を備えていることが多く、該回路が入力映像信号の信号情報（垂直周波数情報や解像度、ＰｉｘｅｌＣｌｏｃｋなど）を測定する。画像処理エンジンはこれらの信号情報を基に画像処理エンジン内部を動作させるものが多い。参考文献１では、該信号情報から入力信号の状態を判断しＯＳＤなどを用いてユーザに対して、入力されている映像信号の状態を提示する方法が開示されている。
【０００５】
映像信号受信回路は複数の映像信号を受信できる構成としていることが多い。このように複数の映像を受信できるレシーバが、入力される映像信号の信号情報を測定する測定回路の数を映像受信回路と同数にするような回路構成とした場合、映像受信回路の回路規模増加によりコスト増加となり、ひいては装置のコスト増加の原因となる。このため、多くの映像信号受信回路は２つの映像信号測定回路を設け、１つは表示信号の信号測定に、もう１つは非表示の複数の映像ＩＦの信号測定に用いる構成としているものが多い。
【０００６】
例えば、図６で示すように4つの映像受信ＩＦを備える映像受信回路の場合、内部では２つの映像信号情報取得回路を設け、１つは表示している信号専用に用い、もう１つは非表示の映像ＩＦと時分割に接続して信号情報を監視するとしている。このように、映像受信回路から見て「入力端子数＞映像信号情報測定回路数」とすることで映像受信回路のコスト軽減を図っている。この場合、複数の非表示映像信号ＩＦを監視する映像信号情報測定回路数が非表示映像信号ＩＦ数（入力端子数）よりも少ないため、接続を時分割に切り替える方法が取られることが多い。
【０００７】
一方、映像信号のプロトコルが広帯域であるＨＤＭＩやＤＰが広がるにつれて、伝送される映像信号のフレームレートが従来は６０Ｈｚであったものが１００Ｈｚや１２０Ｈｚといった高フレームレートの映像信号が使われることが多くなってきた。これに伴い映像表示装置本体の画像処理も低遅延で行うことで映像信号受信から表示までも低遅延で行う低遅延モード、従来通りの処理を行う標準動作モード、これら２つの動作モードを備える映像表示装置も広がってきている。この低遅延モードはゲーム市場やシミュレーション市場において特に採用が広がってきている。
【先行技術文献】
【特許文献】
【０００８】
【特許文献１】特開2009-111864号公報
【発明の概要】
【発明が解決しようとする課題】
【０００９】
映像表示装置内の画像処理を低遅延に抑える処理モードを搭載する映像表示装置が広がる一方で、映像入力ＩＦを切り替えた際や映像送信機側でフォーマットを切り替えた際の画出し時間の短縮する要求も増えてきている。特許文献１においては、表示装置に入力されている映像信号の状態をユーザに提示することを提案しているが、画出し自体の高速化は図ることができない。
【００１０】
そこで、本発明の目的は、複数の映像入力ＩＦを備え、動作モードに応じて内部の画像処理方法を変更可能な映像表示装置において、動作モードに応じて入力映像信号検知方法を変更することで画出し時間を短縮することが可能な映像表示装置を提供することを目標とする。
【課題を解決するための手段】
【００１１】
上記目的を達成するために、本発明は、
複数の映像入力手段と、
該複数の映像入力手段を選択する第一の映像入力選択手段と、
該第一の映像入力選択手段で選択された映像信号を測定する信号測定手段と、
該複数の映像入力手段を選択する第二の映像入力選択手段と、
該第二の映像入力選択手段で選択された映像信号を画像処理する画像処理手段と、
該画像処理手段の映像を表示する表示手段と、
該画像処理手段の処理内容を変更する動作モード変更手段と、
該動作モードを選択する動作モード選択手段と、
を備える映像表示装置において、
該動作モード選択手段により選択された動作モードに応じて、前記第一の映像入力選択手段の選択方法を変更することを特徴とする。
【発明の効果】
【００１２】
本発明によれば、複数画像入力端子を備える映像表示装置において、ユーザに選択指示された動作モードに応じて非表示の画像入力端子の信号測定頻度を変更することにより、入力画像端子切り替え時の出画処理時間を短縮することができる。
【図面の簡単な説明】
【００１３】
【図１】全体接続図
【図２】液晶プロジェクタ１００の全体構成
【図３】液晶プロジェクタ１００の基本動作
【図４（ａ）】実施例１の特徴的動作
【図４（ｂ）】実施例１の特徴的動作
【図４（ｃ）】実施例１の特徴的動作
【図５】ＨＤＭＩ信号受信回路ブロック図
【図６】映像受信回路ブロック図
【図７】映像入力部１３０の詳細ブロック図
【図８】ＡＰＣ、ＨＤＭＩ−１、ＨＤＭＩ−２、ＤＰをＯＳＤ表示している図
【発明を実施するための形態】
【００１４】
以下、図面を参照して本発明の実施例を詳細に説明するが、この発明は以下の実施の形態に限定さるものではない。
【００１５】
［実施例１］
本実施例では、映像表示装置の一例として、液晶プロジェクタについて説明する。液晶プロジェクタには、単板式、３板式などが一般に知られているが、どちらの方式であっても良い。また投影型表示装置としてはＤＭＤ（Ｄｉｇｉｔａｌ  Ｍｉｒｒｏｒ  Ｄｅｖｉｃｅ）などの表示デバイスを用いたＤＬＰプロジェクタでも同様の効果が得られる。
【００１６】
本実施例の液晶プロジェクタは、表示するべき画像に応じて、液晶素子の光の透過率を制御して、液晶素子を透過した光源からの光をスクリーンに投影することで、画像をユーザに提示する。以下、このような液晶プロジェクタについて説明する。
【００１７】
＜全体構成＞
まず、図１で各種映像出力装置と本実施例の液晶プロジェクタ１００の接続関係を示す。液晶プロジェクタ１００は４つの映像出力装置（メディアプレイヤ２０１、ネットワークカメラ２０２、自動車型の映像出力装置２０３、パーソナルコンピュータ２０４）と映像ケーブルを介して接続している。図２を用いて、本実施例の液晶プロジェクタ１００の全体構成を説明する。
【００１８】
図２は、本実施例の液晶プロジェクタ１００の全体の構成を示す図である。
【００１９】
本実施例の液晶プロジェクタ１００は、ＣＰＵ１１０、ＲＯＭ１１１、ＲＡＭ１１２、操作部１１３、画像入力部１３０、画像処理部１４０を有する。液晶プロジェクタ１００は、さらに、液晶制御部１５０、液晶素子１５１Ｒ、１５１Ｇ、１５１Ｂ、光源制御部１６０、光源１６１、色分離部１６２、色合成部１６３、光学系制御部１７０、投影光学系１７１、内部バス１９９を有する。液晶プロジェクタ１００は、さらに、記録再生部１９１、記録媒体１９２、通信部１９３、撮像部１９４、表示制御部１９５、表示部１９６を有していてもよい。以下各構成部について説明する。
【００２０】
ＣＰＵ１１０は、液晶プロジェクタ１００の各動作ブロックを制御するものあり、ＲＯＭ１１１は、ＣＵＰ１１０の処理手順を記述した制御プログラムを記憶するためのものであり、ＲＡＭ１１２は、ワークメモリとして一時的に制御プログラムやデータを格納するものである。また、ＣＰＵ１１０は、記録再生部１９１により記録媒体１９２から再生された静止画データや動画データを一時的に記憶し、ＲＯＭ１１１に記憶されたプログラムを用いて、それぞれの画像や映像を再生したりすることもできる。
【００２１】
また、ＣＰＵ１１０は、通信部１９３より受信した静止画データや動画データを一時的に記憶し、ＲＯＭ１１１に記憶されたプログラムを用いて、それぞれの画像や映像を再生したりすることもできる。また、撮像部１９４により得られた画像や映像を一時的にＲＡＭ１１２に記憶し、ＲＯＭ１１１に記憶されたプログラムを用いて、静止画データや動画データに変換して記録媒体１９２に記録させることもできる。
【００２２】
またＣＰＵ１１０は操作部１１３を介したユーザの指示を受けて、液晶プロジェクタの動作モードを変更する。動作モードとは、入力された映像を低遅延の画像処理をだけを行って出力する低遅延モード、それ以外の標準モードであり、低遅延モードを指示された場合は後述する画像処理部１４０へ画像処理に伴う遅延時間が少ない処理だけを行うように制御を行う。さらに後述する画像入力部１３０の制御も変更する。詳細については後述する。
【００２３】
また、操作部１１３は、ユーザの指示を受け付け、ＣＰＵ１１０に指示信号を送信するものであり、例えば、スイッチやダイヤル、表示部１９６上に設けられたタッチパネルなどからなる。また、操作部１１３は、例えば、リモコンからの信号を受信する信号受信部（赤外線受信部など）で、受信した信号に基づいて所定の指示信号をＣＰＵ１１０に送信するものであってもよい。また、ＣＰＵ１１０は、操作部１１３や、通信部１９３から入力された制御信号を受信して、液晶プロジェクタ１００の各動作ブロックを制御する。
【００２４】
画像入力部１３０は、外部装置から映像信号を受信するものであり、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子等を含む。また、アナログ映像信号を受信した場合には、受信したアナログ映像信号をデジタル映像信号に変換する。そして、受信した映像信号を、画像処理部１４０に送信する。ここで、外部装置は、映像信号を出力できるものであれば、パーソナルコンピュータ、カメラ、携帯電話、スマートフォン、ハードディスクレコーダ、ゲーム機など、どのようなものであってもよい。
【００２５】
本実施例では図１で示すように、メディアプレイヤ２０１、ネットワークカメラ２０２、自動車型映像出力装置２０３、パーソナルコンピュータ２０４が外部装置である。
以下図７を用いて本実施例における画像入力部１３０の特徴的な構成について説明する。
【００２６】
図７で示すように本実施例では、画像入力部１３０は画像入力端子を４つ（１３１ａ、１３１ｂ、１３１ｃ、１３１ｄ）、画像入力受信回路を４つ（１３４ａ、１３４ｂ、１３４ｃ、１３４ｄ）、入力信号測定回路を２つ（１３２ａ、１３２ｂ）、各入力信号測定回路への入力を切り替える測定回路切り替えスイッチを２つ（１３３ａ、１３３ｂ）、データバス１９９へ伝送する映像信号を切り替える入力切り替えスイッチを１つ（１３５）を有する。接続は図７に示す通りである。画像入力受信回路１３４は、例えばアナログ映像信号を受信する場合ではアナログ信号をデジタル信号（LVTTL）に変換するADCを含む。
【００２７】
またＨＤＭＩを受信する場合ではＴＭＤＳ信号をデジタル映像信号に変換し、さらにAVIInfoFrameなどの補助情報を取得する回路を備える。同様にDPの場合ではDP信号をデジタル映像信号に変換し、同様にAVIInfoFrameなどの補助情報を取得する回路を備える。本実施例では画像入力端子１３１ａがアナログＰＣ入力（ＶＧＡ）コネクタ、１３１ｂ／１３１ｃがＨＤＭＩ−１とＨＤＭＩ−２、１３１ｄがＤＰコネクタである。
【００２８】
またこれに伴い受信回路１３４ａがアナログ映像信号受信回路、１３４ｂ／１３４ｃがＨＤＭＩ受信回路、１３４ｄがＤＰ受信回路である。また入力切り替えスイッチ１３５を切り替えることで液晶プロジェクタ１００が表示する入力映像が選択される。測定回路切り替えスイッチ１３３ａ／１３３ｂ、入力切り替えスイッチ１３５の切り替え制御や、入力信号測定回路１３２ａ／１３２ｂが測定した信号情報取得はＣＰＵ１１０が行う（制御線やデータ線は不図時）。本実施例では、メディアプレイヤ２０１と１３１ａが、ネットワークカメラ２０２と１３１ｂが、自動車型映像出力装置２０３と１３１ｃが、パーソナルコンピュータ２０４と１３１ｄが接続している。なお、本実施例では信号測定回路１３２ａを表示する映像信号を専用で測定するように用いる。
【００２９】
画像処理部１４０は、映像入力部１３０から受信した映像信号にフレーム数、画素数、画像形状などの変更処理を施して、液晶制御部１５０に送信するものであり、例えば画像処理用のマイクロプロセッサから構成される。また、画像処理部１４０は、専用のマイクロプロセッサである必要はなく、例えば、ＲＯＭ１１１に記憶されたプログラムによって、ＣＰＵ１１０が画像処理部１４０と同様の処理を実行しても良い。画像処理部１４０は、フレーム間引き処理、フレーム補間処理、解像度変換処理、歪み補正処理（キーストン補正処理）、画像の移動や回転などのアフィン変換といった機能を実行することが可能である。また画像処理部１４０は、液晶制御部１５０に出力する映像信号に対して変形処理を行うことが可能である変形処理部２０３を備える。変形処理部２０３については後述する。
【００３０】
画像処理部１４０は、映像入力部１３０から受信した映像信号以外にも、ＣＰＵ１１０によって再生された画像や映像に対して前述の処理を施すこともできる。
【００３１】
また画像処理部１４０は上述したとおり、本液晶プロジェクタが備える動作モード（低遅延モード、標準モード）に応じて画像処理内容を変更する。
【００３２】
液晶制御部１５０は、画像処理部１４０で処理の施された映像信号に基づいて、液晶素子１５１Ｒ、１５１Ｇ、１５１Ｂの画素の液晶に印可する電圧を制御して、液晶素子１５１Ｒ、１５１Ｇ、１５１Ｂの透過率を調整するものであり、制御用のマイクロプロセッサからなる。また、液晶制御部１５０は、専用のマイクロプロセッサである必要はなく、例えば、ＲＯＭ１１１に記憶されたプログラムによって、ＣＰＵ１１０が液晶制御部１５０と同様の処理を実行しても良い。
【００３３】
たとえば、画像処理部１４０に映像信号が入力されている場合、液晶制御部１５０は、画像処理部１４０から１フレームの画像を受信する度に、画像に対応する透過率となるように、液晶素子１５１Ｒ、１５１Ｇ、１５１Ｂを制御する。液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整するためのものである。
【００３４】
液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整するためのものである。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整するためのものである。
【００３５】
この液晶制御部１５０による液晶素子１５１Ｒ、１５１Ｇ、１５１Ｂの具体的な制御動作や液晶素子１５１Ｒ、１５１Ｇ、１５１Ｂの構成については後述する。
【００３６】
光源制御部１６０は、光源１６１のオン／オフを制御や光量の制御をするものであり、制御用のマイクロプロセッサからなる。また、光源制御部１６０は、専用のマイクロプロセッサである必要はなく、例えば、ＲＯＭ１１１に記憶されたプログラムによって、ＣＰＵ１１０が光源制御部１６０と同様の処理を実行しても良い。また、光源１６１は、不図示のスクリーンに画像を投影するための光を出力するものであり、例えば、ハロゲンランプ、キセノンランプ、高圧水銀ランプなどであっても良い。
【００３７】
また、色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。また、色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラーやプリズムなどからなる。
【００３８】
そして、色合成部１６３により赤色（Ｒ）、緑色（Ｇ）、青色（Ｂ）の成分を合成した光は、投影光学系１７１に送られる。このとき、液晶素子１５１Ｒ、１５１Ｇ、１５１Ｂは、画像処理部１４０から入力された画像に対応する光の透過率となるように、液晶制御部１５０により制御されている。そのため、色合成部１６３により合成された光は、投影光学系１７１により印刷物に投影されると、画像処理部１４０により入力された画像に対応する画像が印刷物上に表示されることになる。なお、本実施例において、投射画像は印刷物に投射される。
【００３９】
光学系制御部１７０は、投影光学系１７１を制御するものであり、制御用のマイクロプロセッサからなる。また、光学系制御部１７０は、専用のマイクロプロセッサである必要はなく、例えば、ＲＯＭ１１１に記憶されたプログラムによって、ＣＰＵ１１０が光学系制御部１７０と同様の処理を実行しても良い。また、投影光学系１７１は、色合成部１６３から出力された合成光をスクリーンに投影するためのものであり、複数のレンずれンズ駆動用のアクチュエータからなり、レンズをアクチュエータにより駆動することで、投影画像の拡大、縮小、焦点調整などを行うことができる。
【００４０】
記録再生部１９１は、記録媒体１９２から静止画データや動画データを再生したり、また、撮像部１９４により得られた画像や映像の静止画データや動画データをＣＰＵ１１０から受信して記録媒体１９２に記録したりするものである。また、通信部１９３より受信した静止画データや動画データを記録媒体１９２に記録しても良い。記録再生部１９１は、例えば、記録媒体１９２と電気的に接続するインタフェースや記録媒体１９２と通信するためのマイクロプロセッサからなる。
【００４１】
また、記録再生部１９１には、専用のマイクロプロセッサを含む必要はなく、例えば、ＲＯＭ１１１に記憶されたプログラムによって、ＣＰＵ１１０が記録再生部１９１と同様の処理を実行しても良い。また、記録媒体１９２は、静止画データや動画データ、その他、本実施例の液晶プロジェクタに必要な制御データなどを記録することができるものであり、磁気ディスク、光学式ディスク、半導体メモリなどのあらゆる方式の記録媒体であってよく、着脱可能な記録媒体であっても、内蔵型の記録媒体であってもよい。
【００４２】
通信部１９３は、外部機器からの制御信号や静止画データ、動画データなどを受信するためのものであり、例えば、無線ＬＡＮ、有線ＬＡＮ、ＵＳＢ、Ｂｌｕｅｔｏｏｔｈ（登録商標）などであってよく、通信方式を特に限定するものではない。また、画像入力部１３０の端子が、例えばＨＤＭＩ（登録商標）端子であれば、その端子を介してＣＥＣ通信を行うものであっても良い。ここで、外部装置は、液晶プロジェクタ１００と通信を行うことができるものであれば、パーソナルコンピュータ、カメラ、携帯電話、スマートフォン、ハードディスクレコーダ、ゲーム機、リモコンなど、どのようなものであってもよい。
【００４３】
撮像部１９４は、本実施例の液晶プロジェクタ１００の周辺を撮像して画像信号を取得するものであり、投影光学系１７１を介して投影された画像を撮影（スクリーン方向を撮影）することができる。撮像部１９４は、得られた画像や映像をＣＰＵ１１０に送信し、ＣＰＵ１１０は、その画像や映像を一時的にＲＡＭ１１２に記憶し、ＲＯＭ１１１に記憶されたプログラムに基づいて、静止画データや動画データに変換する。撮像部１９４は、被写体の光学像を取得するレンずれンズを駆動するアクチュエータ、アクチュエータを制御するマイクロプロセッサ、レンズを介して取得した光学像を画像信号に変換する撮像素子、撮像素子により得られた画像信号をデジタル信号に変換するＡＤ変換部などからなる。また、撮像部１９４は、スクリーン方向を撮影するものに限られず、例えば、スクリーンと逆方向の視聴者側を撮影しても良い。
【００４４】
表示制御部１９５は、液晶プロジェクタ１００に備えられた表示部１９６に液晶プロジェクタ１００を操作するための操作画面やスイッチアイコン等の画像を表示させるための制御をするものであり、表示制御を行うマイクロプロセッサなどからなる。また、表示制御部１９５専用のマイクロプロセッサである必要はなく、例えば、ＲＯＭ１１１に記憶されたプログラムによって、ＣＰＵ１１０が表示制御部１９５と同様の処理を実行しても良い。
【００４５】
また、表示部１９６は、液晶プロジェクタ１００を操作するための操作画面やスイッチアイコンを表示するものである。表示部１９６は、画像を表示できればどのようなものであっても良い。例えば、液晶ディスプレイ、ＣＲＴディスプレイ、有機ＥＬディスプレイ、ＬＥＤディスプレイであって良い。また、特定のボタンをユーザに認識可能に掲示するために、各ボタンに対応するＬＥＤ等を発光させるものであってもよい。
【００４６】
内部バス１９９は、液晶プロジェクタ１００内部で映像データや各種制御信号などを伝送するためのバスで、図１で示すように各制御ブロックと接続している。
なお、本実施例の画像処理部１４０、液晶制御部１５０、光源制御部１６０、光学系制御部１７０、記録再生部１９１、表示制御部１９５は、これらの各ブロックと同様の処理を行うことのできる単数または複数のマイクロプロセッサあっても良い。または、例えば、ＲＯＭ１１１に記憶されたプログラムによって、ＣＰＵ１１０が各ブロックと同様の処理を実行しても良い。
【００４７】
また、本プロジェクタは複数の投射モードに応じて、ＣＰＵ１１０は、画像処理部１４０の各種パラメータの変更や、光源制御部１６０を制御して光源の明るさの強弱を行う。
【００４８】
＜基本動作＞
次に、図２、図３を用いて、本実施例の液晶プロジェクタ１００の基本動作を説明する。
【００４９】
図３は、本実施例の液晶プロジェクタ１００の基本動作の制御を説明するためのフロー図である。図３の動作は、基本的にＣＰＵ１１０が、ＲＯＭ１１１に記憶されたプログラムに基づいて、各機能ブロックを制御することにより実行されるものである。図３のフロー図は、操作部１１３や不図示のリモコンによりユーザが液晶プロジェクタ１００の電源のオンを指示した時点をスタートとしている。
【００５０】
操作部１１３や不図示のリモコンによりユーザが液晶プロジェクタ１００の電源のオンを指示すると、ＣＰＵ１１０は、不図示の電源部からプロジェクタ１００の各部に不図示の電源回路から電源を供給が供給する。
【００５１】
次に、ＣＰＵ１１０は、ユーザによる操作部１１３やリモコンの操作により選択された表示モードを判定する（Ｓ２１０）。本実施例のプロジェクタ１００の表示モードの一つは、画像入力部１３０より入力された映像を表示する「入力画像表示モード」である。
【００５２】
また、本実施例のプロジェクタ１００の表示モードの一つは、記録再生部１９１により記録媒体１９２から読み出された静止画データや動画データの画像や映像を表示する「ファイル再生表示モード」である。また、本実施例のプロジェクタ１００の表示モードの一つは、通信部１９３から受信した静止画データや動画データの画像や映像を表示する「ファイル受信表示モード」である。なお、本実施例では、ユーザにより表示モードが選択される場合について説明するが、電源を投入した時点での表示モードは、前回終了時の表示モードになっていてもよく、また、前述のいずれかの表示モードをデフォルトの表示モードとしてもよい。その場合には、Ｓ２１０の処理は省略可能である。
【００５３】
ここでは、Ｓ２１０で、「入力画像表示モード」が選択されたものとして説明する。「入力画像表示モード」が選択されると、ＣＰＵ１１０は、画像入力部１３０から映像が入力されているか否かを判定する（Ｓ２２０）。入力されていない場合（Ｓ２２０でＮｏ）には、入力が検出されるまで待機し、入力されている場合（Ｓ２２０でＹｅｓ）には、制御部は、投影処理（Ｓ２３０）を実行する。
【００５４】
ＣＰＵ１１０は、投影処理として、画像入力部１３０より入力された映像を画像処理部１４０に送信し、画像処理部１４０に、映像の画素数、フレームレート、形状の変形を実行させ、処理の施された１画面分の画像を液晶制御部１５０に送信する。そして、ＣＰＵ１１０は、液晶制御部１５０に、受信した１画面分の画像の赤色（Ｒ）、緑色（Ｇ）、青色（Ｂ）の各色成分の階調レベルに応じた透過率となるように、液晶パネル１５１Ｒ、１５１Ｇ、１５１Ｂの透過率を制御させる。
【００５５】
そして、ＣＰＵ１１０は、光源制御部１６０に光源１６１からの光の出力を制御させる。色分離部１６２は、光源１６１から出力された光を、赤色（Ｒ）、緑色（Ｇ）、青色（Ｂ）に分離し、それぞれの光を、液晶パネル１５１Ｒ、１５１Ｇ、１５１Ｂに供給する。液晶パネル１５１Ｒ、１５１Ｇ、１５１Ｂに供給された、各色の光は、各液晶パネルの画素毎に透過する光量が制限される。そして、液晶パネル１５１Ｒ、１５１Ｇ、１５１Ｂを透過した赤色（Ｒ）、緑色（Ｇ）、青色（Ｂ）それぞれの光は、色合成部１６３に供給され再び合成される。そして、色合成部１６３で合成された光は、投影光学系１７１を介して、不図示のスクリーンに投影される。
【００５６】
この投影処理は、画像を投影している間、１フレームの画像毎に順次、実行されている。
【００５７】
なお、このとき、ユーザにより投影光学系１７１の操作をする指示が指示部１１１から入力されると、ＣＰＵ１１０は、光学系制御部１７０に、投影画像の焦点を変更したり、光学系の拡大率を変更したりするように投影光学系１７１のアクチュエータを制御させる。
【００５８】
この表示処理実行中に、ＣＰＵ１１０は、ユーザにより表示モードを切り替える指示が指示部１１１から入力されたか否かを判定する（Ｓ２４０）。ここで、ユーザにより表示モードを切り替える指示が指示部１１１から入力されると（Ｓ２４０でＹｅｓ）、ＣＰＵ１１０は、再びＳ２１０に戻り、表示モードの判定を行う。このとき、ＣＰＵ１１０は、画像処理部１４０に、表示モードを選択させるためのメニュー画面をＯＳＤ画像として送信し、投影中の画像に対して、このＯＳＤ画面を重畳させるように画像処理部１４０を制御する。ユーザは、この投影されたＯＳＤ画面を見ながら、表示モードを選択するのである。
【００５９】
一方、表示処理実行中に、ユーザにより表示モードを切り替える指示が指示部１１１から入力されない場合は（Ｓ２４０でＮｏ）、ＣＰＵ１１０は、ユーザにより投影終了の指示が指示部１１１から入力されたか否かを判定する（Ｓ２５０）。ここで、ユーザにより投影終了の指示が指示部１１１から入力された場合には（Ｓ２５０でＹｅｓ）、ＣＰＵ１１０は、プロジェクタ１００の各ブロックに対する電源供給を停止させ、画像投影を終了させる。一方、ユーザにより投影終了の指示が指示部１１１から入力された場合には（Ｓ２５０でＮｏ）、ＣＰＵ１１０は、Ｓ２２０へ戻り、以降、ユーザにより投影終了の指示が指示部１１１から入力されるまでの間Ｓ２２０からＳ２５０までの処理を繰り返す。
【００６０】
以上のように、本実施例の液晶プロジェクタ１００は、スクリーンに対して画像を投影する。
【００６１】
なお、「ファイル再生表示モード」では、ＣＰＵ１１０は、記録再生部１９１に、記録媒体１９２から静止画データや動画データのファイルリストや各ファイルのサムネイルデータを読み出させ、ＲＡＭ１１２に一時的に記憶する。そして、ＣＰＵ１１０は、ＲＯＭ１１１に記憶されたプログラムに基づいて、ＲＡＭ１１２に一時記憶されたファイルリストに基づく文字画像や各ファイルのサムネイルデータに基づく画像を生成し、画像処理部１４０に送信する。そして、ＣＰＵ１１０は、通常の投影処理（Ｓ２３０）と同様に、画像処理部１４０、液晶制御部１５０、投影制御部１６０を制御する。
【００６２】
次に、投影画面上において、記録媒体１９２に記録された静止画データや動画データにそれぞれ対応する文字や画像を選択する指示が指示部１１１を通して入力される。そうすると、ＣＰＵ１１０は、選択された静止画データや動画データを記録媒体１９２から読み出すように記録再生部１９１を制御する。そして、ＣＰＵ１１０は、読み出された静止画データや動画データをＲＡＭ１１２に一時的に記憶し、ＲＯＭ１１１記憶されたプログラムに基づいて、静止画データや動画データの画像や映像を再生する。
【００６３】
そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００６４】
また、「ファイル受信表示モード」では、ＣＰＵ１１０は、通信部１９３から受信した静止画データや動画データをＲＡＭ１１２に一時的に記憶し、ＲＯＭ１１１記憶されたプログラムに基づいて、静止画データや動画データの画像や映像を再生する。そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００６５】
＜特徴的な動作説明＞
本実施例では、ユーザが不図時のリモコンを用いて液晶プロジェクタ１００を操作し、上述した動作モードを標準モードと低遅延モードでの画像入力部１３０の制御を行うＣＰＵ１１０の動作について説明する。まず標準モード時のＣＰＵ１１０の画像入力部１３０制御方法について説明する。
【００６６】
ユーザが不図示のリモコンを操作し、ユーザが指定した画像入力端子の映像信号を常時測定するために入力測定回路スイッチ１３３ａを切り替える。同様に映像信号を内部バス１９９へ伝送するために入力切り替えスイッチ１３５を切り替える。上記各スイッチの制御はユーザ操作を受けてＣＰＵ１１０が行う。以下の説明はユーザ操作を受けた後のＣＰＵ１１０の動作である。
【００６７】
本実施例ではユーザが画像入力端子１３１ｂ（ＨＤＭＩ−１）を選択した場合について説明する。ユーザ操作によりＨＤＭＩ−１が選択されると、ＣＰＵ１１０は入力測定回路スイッチ１３３ａを受信回路１３４ｂからの映像信号を選択するように切り替え、入力切り替えスイッチ１３５を受信回路１３４ｂからの映像を選択するように切り替える。映像信号選択後、信号測定回路１３２ｂは非表示の入力信号の信号有無や信号情報を測定するために入力測定回路スイッチ１３３ｂを時分割で切り替える。
【００６８】
標準モード時にユーザのリモコン操作で画像入力端子１３１ｂ（ＨＤＭＩ−１）の表示指示を受けた際の動作について、図４ａを用いてＣＰＵ１１０の制御シーケンスを説明する。制御シーケンスは液晶プロジェクタ１００の電源オン時の制御から示す。以下の説明はユーザ操作を受けた後のＣＰＵ１１０の動作である。
【００６９】
液晶プロジェクタ１００はユーザのリモコン操作による電源オンを受け（Ｓ３０１にてＹＥＳ）、システムの電源オン制御を行う（Ｓ３０２）。電源オン制御とは液晶プロジェクタ１００の内部ブロックの各種初期化処理である。Ｓ３０２後、前回電源オフ時に選択されていた映像入力端子が表示する映像入力端子となり、その映像入力端子と接続している映像受信回路からの映像信号を信号測定回路１３２ａに入力するために入力測定回路スイッチ１３３ａを切り替える。本実施例では前回電源オフ時の表示端子をＨＤＭＩ−２（入力端子は１３１ｃ、受信回路１３４ｃ）としている。
【００７０】
受信回路１３４ｃからの映像を選択するように入力測定回路スイッチ１３３ａと入力切り替えスイッチ１３５を切り替える（Ｓ３０３）。切り替えてから１秒後、信号測定回路１３２ａよりＨＤＭＩ−２の信号情報を取得する（Ｓ３０４）。取得した情報を基に画像処理部１４０や表示制御部１９５を制御し拡大縮小処理や台形補正、表示パネルドライバ設定を行い、入力映像（ＨＤＭＩ−２）を出力する（Ｓ３０５）。以降、選択された映像端子の映像出力処理は全て同様であるため出画処理の説明は省力する。
【００７１】
Ｓ３０５の後にユーザによるＨＤＭＩ−１への切り替えを検知し（Ｓ３０６）、入力測定回路スイッチ１３３ａと入力切り替えスイッチ１３５を受信回路１３４ｂからの映像を選択するように切り替える（Ｓ３０７）。Ｓ３０６で切り替えがない場合はＳ３０８へ制御を映す。切り替えてから１秒後、信号測定回路１３２ａよりＨＤＭＩ−１の信号情報を取得する（Ｓ３０８）。その信号情報をもとに前述した出画処理を行う（Ｓ３０９）。
【００７２】
なおＳ３０８で測定した信号情報が前回と同じ場合Ｓ３０９はスキップされる。Ｓ３０９後、非表示の入力端子の映像信号情報を取得する（Ｓ３１０）。本件はこのＳ３１０の制御方法が標準モードと低遅延モードで異なる。標準モード時の制御シーケンスを図４ｂ、低遅延モード時の制御シーケンスを図４ｃにて後述する。非表示入力端子の信号情報取得後、Ｓ３１１にて電源オフをユーザが指示していないかを確認し、電源オフを指示していない場合はＳ３０６の前に移行し、電源オフを指示している場合は電源オフ処理（Ｓ３１２）を行う。
【００７３】
次に上述した標準モード時に非表示映像端子の信号情報取得制御シーケンスについて図４ｂを用いて説明する。
【００７４】
標準モード時は、非表示の画像入力端子１３１ａ（ＡＰＣ）、１３１ｃ（ＨＤＭＩ−２）、１３１ｄ（ＤＰ）の信号有無や信号情報を測定するために、入力測定回路スイッチ１３３ｂを時分割に順次切り替える。まず１３１ａ（ＡＰＣ）の信号情報を取得するために入力測定回路スイッチ１３３ｂを１３４ａからの入力に切り替える（Ｓ４０１）。Ｓ４０１後、１秒後に信号測定回路１３２ｂから信号有無や信号情報を取得する（Ｓ４０２）。
【００７５】
次にＳ４０１と同様に１３１ｃ（ＨＤＭＩ−２）の信号有無や信号情報を取得するために入力測定回路スイッチ１３３ｂを１３４ｃからの入力に切り替える（Ｓ４０３）。Ｓ４０３後、１秒後に信号測定回路１３２ｂから信号有無や信号情報を取得する（Ｓ４０４）。
【００７６】
次に１３１ｄＤＰの信号有無や信号情報を取得するために入力測定回路スイッチ１３３ｂを１３４ｄからの入力に切り替える（Ｓ４０５）。Ｓ４０５後、１秒後に信号測定回路１３２ｂから信号有無や信号情報を取得する（Ｓ４０６）。Ｓ４０６後、各表示映像端子に入力されている映像信号の安定性を見るためにＳ４０１からＳ４０６が３回繰り返されているかを確認する。
【００７７】
次に上述した低遅延モード時に非表示映像端子の信号情報取得制御シーケンスについて図４ｃを用いて説明する。
【００７８】
低遅延モード時は、非表示の画像入力端子１３１ａ（ＡＰＣ）、１３１ｃ（ＨＤＭＩ−２）、１３１ｄ（ＤＰ）の信号有無や信号情報を測定する上で、優先度を設ける。本実施例では信号測定頻度を画像入力端子１３１ａ（ＡＰＣ）：１３１ｃ（ＨＤＭＩ−２）：１３１ｄ（ＤＰ）を１：３：３の頻度（数値が大きい方が測定頻度が高い）で入力測定回路スイッチ１３３ｂを切り替える。低遅延モード時の非表示の画像入力端子の信号情報取得シーケンスは図４ｃである。制御手順としては、１３１ａ（ＡＰＣ）の信号有無や信号情報を取得するために入力測定回路スイッチ１３３ｂを１３４ａからの入力に切り替え（Ｓ５０１）、切り替えて１秒後に信号有無や信号情報を取得する（Ｓ５０２）。
【００７９】
同様に画像入力端子１３１ｃ（ＨＤＭＩ−２）や１３１ｄ（ＤＰ）の信号有無や信号情報を取得するために入力測定回路スイッチ１３３ｂの切り替えと信号測定回路１３２ｂから信号有無や信号情報の取得を行う（Ｓ５０３、Ｓ５０４、Ｓ５０５、Ｓ５０６）。Ｓ５０６後、Ｓ５０７にてＨＤＭＩ−２とＤＰの信号有無検知、信号情報取得が３回行われていない場合はＳ５０３前に処理を移し、３回行った場合は非表示の画像入力端子の監視を終了する。
【００８０】
上述のように１３１ａ（ＡＰＣ）の入力信号の測定頻度を下げたのは、低遅延モード時はフレームレートが１００Ｈｚや１２０Ｈｚ、２４０Ｈｚといった高フレームレートの信号が入力されることが多く、１３１ａ（ＡＰＣ）ではこのような信号での利用が少ないためである。
【００８１】
これにより、高フレームレート入力時に使用される頻度が高い画像入力端子を効率的に関しすることができる。例えば、ＤＰが非表示に入力されている映像信号の詳細情報を取得しておくことで、切り替え後に迅速に映像出画処理を行うことができる。また、このようにそもそも検知対象から外した場合は、画像入力端子１３１ａ（ＡＰＣ）が検知対象外であることをユーザに示すためにＯＳＤや音声を用いて提示しても良い。また、標準モードでは画像入力端子状態を図８（ａ）のようにＡＰＣ、ＨＤＭＩ−１、ＨＤＭＩ−２、ＤＰをＯＳＤ表示しているが、その並び順を図８（ｂ）や図８（ｃ）のように変更しても良い。
【００８２】
以上説明したように、本実施例の複数画像入力端子を備える液晶プロジェクタ１００は、ユーザに選択指示された動作モードに応じて非表示の画像入力端子の信号測定頻度を変更などすることにより、入力画像端子切り替え時の出画処理時間の短縮できるという効果を実現できる。なお、本実施例において液晶プロジェクタ１００は、光偏重パネルを用いた非スキャン型投射装置を示したが同様の画像処理部を有すればその限りではなく、走査型スキャン型プロジェクタでの同様の効果を実現できる。
【００８３】
以上、本発明の好ましい実施形態について説明したが、本発明はこれらの実施形態に限定されず、その要旨の範囲内で種々の変形及び変更が可能である。
【００８４】
［その他の実施例］
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００８５】
この場合、記憶媒体から読み出されたプログラムコード自体が前述した実施形態の機能を実現することになり、プログラムコード自体及びそのプログラムコードを記憶した記憶媒体は本発明を構成することになる。
【００８６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８７】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００８８】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００８９】
１００  液晶プロジェクタ
１１０  ＣＰＵ
１１１  ＲＯＭ
１１２  ＲＡＭ
１１３  操作部
１３０  画像入力部
１４０  画像処理部
１５０  液晶制御部
１５１  液晶素子
１６０  光源制御部
１６１  光源
１６２  色分離部
１６３  色合成部
１７０  光学系制御部
１７１  投影光学系
１９１  記録再生部
１９２  記録媒体
１９３  通信部
１９５  表示制御部
１９６  表示部
１９９  内部バス
３００  印刷装置
４００  ＰＣ
４０１  カメラ
１３１ａ  画像入力端子（ＡＰＣ）
１３１ｂ  画像入力端子（ＨＤＭＩ−１）
１３１ｃ  画像入力端子（ＨＤＭＩ−２）
１３１ｄ  画像入力端子（ＤＰ）
１３２ａ  入力信号測定回路（表示用）
１３２ｂ  入力信号測定回路（非表示用）
１３３ａ  入力測定回路スイッチ（表示用）
１３３ｂ  入力測定回路スイッチ（非表示用）
１３５  入力切り替えスイッチ
【図１】
2019012927.tif 000003
【図２】
2019012927.tif 000004
【図３】
2019012927.tif 000005
【図４（ａ）】
2019012927.tif 000006
【図４（ｂ）】
2019012927.tif 000007
【図４（ｃ）】
2019012927.tif 000008
【図５】
2019012927.tif 000009
【図６】
2019012927.tif 000010
【図７】
2019012927.tif 000011
【図８】
2019012927.tif 000012